(57)【要約】【課題】従来、防音、防寒用シートを二重に張設するのは極めて困難であり、実現されていなかった。【解決手段】本発明の仮設建築物遮蔽用シートの取付装置は、第１及び第２の縦方向に延びるシートを上下に互に離間して夫々横方向に引張するためのシートジョイントと、このシートジョイントを、仮設建築物の互に横方向に離間した骨組みパイプに夫々結合するための結合手段とより成り、上記シートジョイントが、縦方向に延びる縦長台板と、この縦長台板の少なくとも一側下面に設けた第１の縦パイプと、上記縦長台板の少くとも一側上面に設けた第２の縦パイプと、上記各縦パイプの外側面に形成した上記第１、第２のシートを挿通せしめるための縦方向スリットと、上記各縦パイプ内に挿入される、夫々上記第１、第２のシートの端部に連結される棒状留め具とより成る。【選択図】図２
2014136937.tif 000002
【特許請求の範囲】
【請求項１】
第１及び第２の縦方向に延びるシートを上下に互に離間して夫々横方向に引張するためのシートジョイントと、このシートジョイントを、仮設建築物用の互に横方向に離間した縦方向に延びる骨組みパイプに夫々結合するための結合手段とより成り、
上記シートジョイントが、縦方向に延びる第１の縦長台板と、この第１の縦長台板の少なくとも一側に設けた第１の縦パイプと、上記第１の縦長台板に重ねて連結した縦方向に延びる第２の縦長台板と、この第２の縦長台板の少なくとも一側に配置した第２の縦パイプと、
上記第１、第２の各縦パイプの外側面に夫々形成した上記第１、第２のシートを挿通せしめるための縦方向スリットと、上記各縦パイプ内に挿入される、夫々上記第１、第２のシートの端部に連結される棒状留め具とより成ることを特徴とする仮設建築物遮蔽用シートの取付装置。
【請求項２】
第１及び第２の縦方向に延びるシートを上下に互に離間して夫々横方向に引張するためのシートジョイントと、このシートジョイントを、仮設建築物の互に横方向に離間した骨組みパイプに夫々結合するための結合手段とより成り、
上記シートジョイントが、縦方向に延びる縦長台板と、この縦長台板の少なくとも一側下面に設けた第１の縦パイプと、上記縦長台板の少くとも一側上面に設けた第２の縦パイプと、
上記各縦パイプの外側面に形成した上記第１、第２のシートを挿通せしめるための縦方向スリットと、上記各縦パイプ内に挿入される、夫々上記第１、第２のシートの端部に連結される棒状留め具とより成ることを特徴とする仮設建築物遮蔽用シートの取付装置。
【請求項３】
上記第１、第２のシートが、夫々上下に互に略２０ｍｍ離間して夫々縦方向及び横方向に延びる厚さ略１ｍｍのポリエチレンシートであることを特徴とする請求項１または２記載の仮設建築物遮蔽用シートの取付装置。
【発明の詳細な説明】
【技術分野】
【０００１】
本発明は仮設建築物遮蔽用シートの取付装置、特に、土木、建築の作業現場の仮設建築物に防音や防寒等のために張設する仮設建築物遮蔽用シートの取付装置に関するものである。
【背景技術】
【０００２】
従来仮設建築物を一枚のシートで覆うようにしたものは例えば特許文献１に示されている。
【先行技術文献】
【特許文献】
【０００３】
【特許文献１】特開平９−３２８９３３号公報
【発明の概要】
【発明が解決しようとする課題】
【０００４】
然しながら、仮設建築物を一枚のシートで覆った場合、シートの厚さをいかに大きくしてもその防音、防寒効果には限界があるという欠点があった。
【０００５】
本発明は上記のような欠点を除くようにしたものである。
【課題を解決するための手段】
【０００６】
本発明の仮設建築物遮蔽用シートの取付装置は、第１及び第２の縦方向に延びるシートを上下に互に離間して夫々横方向に引張するためのシートジョイントと、このシートジョイントを、仮設建築物用の互に横方向に離間した縦方向に延びる骨組みパイプに夫々結合するための結合手段とより成り、
上記シートジョイントが、縦方向に延びる第１の縦長台板と、この第１の縦長台板の少なくとも一側に設けた第１の縦パイプと、上記第１の縦長台板に重ねて連結した縦方向に延びる第２の縦長台板と、この第２の縦長台板の少なくとも一側に配置した第２の縦パイプと、
上記第１、第２の各縦パイプの外側面に夫々形成した上記第１、第２のシートを挿通せしめるための縦方向スリットと、上記各縦パイプ内に挿入される、夫々上記第１、第２のシートの端部に連結される棒状留め具とより成ることを特徴とする。
【０００７】
また、本発明の仮設建築物遮蔽用シートの取付装置は、第１及び第２の縦方向に延びるシートを上下に互に離間して夫々横方向に引張するためのシートジョイントと、このシートジョイントを、仮設建築物の互に横方向に離間した骨組みパイプに夫々結合するための結合手段とより成り、
上記シートジョイントが、縦方向に延びる縦長台板と、この縦長台板の少なくとも一側下面に設けた第１の縦パイプと、上記縦長台板の少くとも一側上面に設けた第２の縦パイプと、
上記各縦パイプの外側面に形成した上記第１、第２のシートを挿通せしめるための縦方向スリットと、上記各縦パイプ内に挿入される、夫々上記第１、第２のシートの端部に連結される棒状留め具とより成ることを特徴とする。
【０００８】
上記第１、第２のシートが、夫々上下に互に略２０ｍｍ離間して夫々縦方向及び横方向に延びる厚さ略１ｍｍのポリエチレンシートであることを特徴とする。
【発明の効果】
【０００９】
本発明の仮設建築物遮蔽用シートの取付装置においては、夫々シート１ａ、１ｂを取り付けた棒状留め具８ａ、８ｂをシートジョイント２の対応する縦パイプ６ａ、６ｂの端面から縦パイプ６ａ、６ｂ内に挿入し、同時にシート１ａ、１ｂを対応する縦パイプ６ａ、６ｂの縦方向スリット７ａ、７ｂに挿通し、シートジョイント２を結合手段４によって骨組みパイプ３に固定すれば、強風等の悪天候下でも二重のシート１ａ、１ｂを容易、確実、且つ正確に一度に配置できるようになり、この結果シートによる防音、防寒効果を極めて大きくすることができる。
【図面の簡単な説明】
【００１０】
【図１】本発明の仮設建築物遮蔽用シートの取付装置の縦断正面図である。
【図２】図１に示す仮設建築物遮蔽用シートの取付装置の斜視図である。
【図３】本発明の仮設建築物遮蔽用シートの取付装置の他の実施例の縦断正面図である。
【図４】図３に示す仮設建築物遮蔽用シートの取付装置の斜視図である。
【発明を実施するための形態】
【００１１】
以下図面によって本発明の実施例を説明する。
【実施例１】
【００１２】
本発明の仮設建築物遮蔽用シートの取付装置は、図１及び図２に示すように、第１及び第２の縦方向に延びる厚さ例えば１ｍｍのポリエチレンシート１２ａ、１２ｂを上下に例えば２０ｍｍ互に離間して夫々横方向に引張するための複数のシートジョイント２と、このシートジョイント２の夫々を、仮設建築物用の互に横方向に例えば１ｍ離間した縦方向に延びる骨組みパイプ３の夫々に結合するための結合手段４とにより構成する。
【００１３】
上記シートジョイント２は、縦方向に延びる第１の縦長台板５ａと、この第１の縦長台板５ａの両側、少くとも一側に配置した第１の縦パイプ６ａと、上記第１の縦長台板５ａに重ねて連結した縦方向に延びる第２の縦長台板５ｂと、この第２の縦長台板５ｂの両側、少くとも一側に配置した第２の縦パイプ６ｂと、上記第１、第２の各縦パイプ６ａ、６ｂの外側面に夫々形成した、上記第１、第２のシート１ａ、１ｂを挿通せしめるための縦方向スリット７ａ、７ｂと、上記第１、第２の縦パイプ６ａ、６ｂ内に夫々挿入される、夫々上記第１、第２のシート１ａ、１ｂの端部に連結される棒状留め具８ａ、８ｂとにより構成する。
【００１４】
また、上記結合手段４は、その一端を上記第１の縦長台板５ａの一側に連結し、他端を上記骨組みパイプ３を取り巻いた後上記第１の縦長台板５ａの他側に連結した帯状バンド９と、この帯状バンド９の底部と上記骨組みパイプ３の下面間に介挿した緊張部材１０とにより構成する。
【００１５】
なお、この緊張部材１０は、帯状バンド９の底部に設けたナット１０ａと、このナット１０ａに螺合した、その先端が上記骨組みパイプ３の下面に対接されるボルト１０ｂとにより構成する。
【００１６】
また、上記結合手段４は上記骨組みパイプ３と縦長台板５ａ間を直接結合するボルト及びナット（図示せず）としても良い。
【実施例２】
【００１７】
本発明の実施例２においては、図３、図４に示すように第１、第２の縦長連結板５ａ、５ｂを上下に重ねて一体のものとした縦長連結板５とする。
この実施例２における作用効果は上記実施例１と同様である。
【符号の説明】
【００１８】
１ａ シート
１ｂ シート
２ シートジョイント
３ 骨組みパイプ
４ 結合手段
５ａ 第１の縦長台板
５ｂ 第２の縦長台板
６ａ 第１の縦パイプ
６ｂ 第２の縦パイプ
７ａ スリット
７ｂ スリット
８ 棒状留め具
９ 帯状バンド
１０ 緊張部材
１０ａ  ナット
１０ｂ  ボルト
【図１】
2014136937.tif 000003
【図２】
2014136937.tif 000004
【図３】
2014136937.tif 000005
【図４】
2014136937.tif 000006